(57)【要約】【課題】タービン建屋の床面積を縮小してタービン建屋をコンパクト化できること。【解決手段】タービン建屋１０にガスタービン１１が収納され、タービン建屋１０におけるガスタービン１１が設置されるタービン設置階１２の床１３に、ガスタービン１１を内包するエンクロージャコンパートメント１４が配置されたタービン建屋構造において、タービン設置階１２の床１３には、エンクロージャコンパートメント１４の天井パネル１７を嵌め込み可能な開口部２０が形成されたものである。【選択図】  図１
2013181464.tif 000002
【特許請求の範囲】
【請求項１】
タービン建屋にタービンが収納され、前記タービン建屋における前記タービンが設置されるタービン設置階の床に、前記タービンを内包するエンクロージャコンパートメントが配置されたタービン建屋構造において、
前記タービン設置階の床には、前記エンクロージャコンパートメントの天井パネルを嵌め込み可能な開口部が形成されたことを特徴とするタービン建屋構造。
【請求項２】
前記タービン設置階の床には、開口部の周縁に係止部材が設けられ、天井パネルが前記係止部材に係止されて前記開口部に嵌め込まれた際に、前記天井パネルが前記床と略同一レベルになるよう構成されたことを特徴とする請求項１に記載のタービン建屋構造。
【請求項３】
前記タービン設置階の床には、開口部の周囲に柵が取り外し可能に設置されたことを特徴とする請求項１または２に記載のタービン建屋構造。
【発明の詳細な説明】
【技術分野】
【０００１】
本発明は、タービンがエンクロージャコンパートメントに覆われ内包されてタービン建屋に収納されるタービン建屋構造に関する。
【背景技術】
【０００２】
一般に、図３に示すように、発電設備のガスタービンや蒸気タービンは、タービン建屋１に収納されている。これらのガスタービン２や蒸気タービンが、防音などを目的としてエンクロージャコンパートメント３で覆われ内包されている場合には、例えばガスタービン２の定期点検時にこのガスタービン２を分解作業するために、エンクロージャコンパートメント３の天井パネル４が取り外される。
【０００３】
この取り外された天井パネル４は、タービン建屋１の天井クレーン５を用いて、タービン建屋１におけるタービン設置階６の床７の所定のエリアＡなどに仮置きされるのが一般的である。その後、ガスタービン２を分解して得られたタービン分解部品８がタービン設置階６の床７に載置される。ここで、符号９は、タービン建屋１において、タービン設置階６の一つ下の階であるタービン設置下階を示す。
【０００４】
尚、タービン分解部品の仮置き（レイダウン）場所を確保するために、大物物品搬入口に搬入口カバーを設置する技術が、特許文献１に開示されている。
【先行技術文献】
【特許文献】
【０００５】
【特許文献１】特開平１１−３５２２７３号公報
【発明の概要】
【発明が解決しようとする課題】
【０００６】
エンクロージャコンパートメント３の天井パネル４は大型部品であるため、取り外された天井パネル４をタービン設置階６の床７に仮置きした場合に、その占有面積が大きくなってしまう。このため、タービン設置階６の床面積を縮小してタービン建屋１をコンパクト化することができない。
【０００７】
また、取り外された天井パネル４をタービン設置階６の床７に立て掛けて仮置きすることも考えられるが、この場合には、天井パネル４が転倒する恐れがある。仮に、天井パネル４に転倒防止対策を施した場合でも、取り外された天井パネル４が天井クレーン５を用いて搬送されることを考慮したとき、天井パネル４の水平姿勢を約９０度回転させて垂直姿勢に変更することは、クレーン作業において非常に困難である。これらのことから、取り外された天井パネル４を立て掛けてタービン設置階６の床７に仮置きすることは困難である。従って、天井パネル４を水平状態でタービン設置階６の床７に仮置きすることになるので、前述と同様に、タービン建屋１のコンパクト化を実現することができない。
【０００８】
本発明の目的は、上述の事情を考慮してなされたものであり、タービン建屋の床面積を縮小してタービン建屋をコンパクト化できるタービン建屋構造を提供することにある。
【課題を解決するための手段】
【０００９】
本発明は、タービン建屋にタービンが収納され、前記タービン建屋における前記タービンが設置されるタービン設置階の床に、前記タービンを内包するエンクロージャコンパートメントが配置されたタービン建屋構造において、前記タービン設置階の床には、前記エンクロージャコンパートメントの天井パネルを嵌め込み可能な開口部が形成されたことを特徴とするものである。
【発明の効果】
【００１０】
本発明によれば、タービン点検時に、エンクロージャコンパートメントの天井パネルを取り外し、タービン設置階の床に形成された開口部に嵌め込むことで、この天井パネルを前記床の一部として利用できる。このため、取り外した天井パネルを仮置きするスペースをタービン建屋に設ける必要がなくなるので、タービン建屋の床面積を縮小してタービン建屋をコンパクト化できる。また、タービン設置階の床の一部として利用される天井パネルは、ガスタービン１１の定期点検時におけるタービン分解部品のレイダウン場所や点検作業スペースとして有効に活用できる。
【図面の簡単な説明】
【００１１】
【図１】本発明に係るタービン建屋構造の一実施形態を示すタービン建屋の概略透視斜視図。
【図２】図１における開口部の周囲の一部を示す部分断面図。
【図３】従来のタービン建屋を示す概略透視斜視図。
【発明を実施するための形態】
【００１２】
以下、本発明を実施するための実施形態を図面に基づき説明する。
図１は、本発明に係るタービン建屋構造の一実施形態を示すタービン建屋の概略透視斜視図である。タービン建屋、例えば図１に示す火力発電所のタービン建屋１０にはガスタービン１１、発電機（図示せず）及び復水器（図示せず）が収納されている。このうち、ガスタービン１１及び発電機は、タービン建屋１０におけるタービン設置階１２の床１３に設置される。
【００１３】
タービン設置階１２の床１３には、防音、保温及び遮熱などを目的として、ガスタービン１１を覆い内包するエンクロージャコンパートメント１４が設置されている。このエンクロージャコンパートメント１４は、ガスの漏洩に備えて換気機能を有している。エンクロージャコンパートメント１４は、ガスタービン１１の周囲を囲む側壁パネル１５の上部開口１６が、天井パネル１７により閉塞されて構成される。
【００１４】
ガスタービン１１等の点検時（例えば定期点検時）においては、ガスタービン１１は分解され、この分解されたタービン分解部品１８は、タービン建屋１０の天井クレーン１９により吊り上げられた後、タービン設置階１２の床１３に載置される。このため、エンクロージャコンパートメント１４は、上述の点検時の準備作業として、ガスタービン１１の停止後にその天井パネル１７が取り外される。
【００１５】
タービン建屋１０におけるタービン設置階１２の床１３には、エンクロージャコンパートメント１４の天井パネル１７のサイズに適合し、この天井パネル１７を１枚または複数枚嵌め込み可能な開口部２０が、単一または複数形成されている。この開口部２０は、タービン設置階１２の一つ下の階（即ちタービン設置下階２１）に連通する吹き抜け穴として構成されている。
【００１６】
そして、タービン設置階１２の床１３には、図２に示すように、開口部２０の周縁に係止部材としての係止片２２が設けられている。この係止片２２は、天井パネル１７が開口部２０に嵌め込まれる際にこの天井パネル１７を係止するものである。天井パネル１７が係止片２２に係止された状態で、天井パネル１７の上面１７Ａは、タービン設置階１２の床１３の床面１３Ａと略同一レベル（略面一）になるよう構成されている。
【００１７】
また、タービン設置階１２の床１３には、図１に示すように、開口部２０の周囲に柵２３が取り外し可能に設置されている。ガスタービン１１等の運転時に柵２３が設置されることで、開口部２０への運転員などの落下が防止される。
【００１８】
ガスタービン１１の定期点検のためにガスタービン１１が停止した後、エンクロージャコンパートメント１４の天井パネル１７が取り外される。この取り外された天井パネル１７は、天井クレーン１９を用いて水平に保持された状態で搬送され、タービン設置階１２の床１３における開口部２０に嵌め込まれ、係止片２２により係止される。天井パネル１７の開口部２０への嵌め込みの前または後に、柵２３が取り外される。
【００１９】
天井パネル１７は、タービン設置階１２の床１３における開口部２０に嵌め込まれた状態で、その上面１７Ａが床１３の床面１３Ａと略同一レベルになる。従って、この開口部２０に嵌め込まれた天井パネル１７は、その後に分解されるガスタービン１１のタービン分解部品１８を仮置きするためのレイダウン場所や点検作業スペースとして活用される。また、天井パネル１７の上面１７Ａと床１３の床面１３Ａとが同一レベルになってフラット状態に設けられることで、床面１３Ａを移動する作業台車などの走行にも支障がない。
【００２０】
以上のように構成されたことから、本実施形態によれば、次の効果（１）〜（４）を奏する。
【００２１】
（１）タービン建屋１０のタービン設置階１２の床１３に、エンクロージャコンパートメント１４の天井パネル１７を嵌め込み可能な開口部２０が形成されたので、ガスタービン１１の定期点検時に、エンクロージャコンパートメント１４の天井パネル１７を取り外し、タービン設置階１２の床１３における開口部２０に嵌め込むことで、この天井パネル１７を床１３の一部として利用できる。このため、取り外した天井パネル１７を仮置きするスペース（図３のエリアＡ）をタービン建屋１０に設ける必要がなくなるので、従来のタービン建屋１（図３）の体積Ｖを削減できる。この結果、タービン建屋１０の床面積を縮小してタービン建屋１０をコンパクト化でき、タービン建屋１０のコストダウンを実現できる。
【００２２】
また、タービン設置階１２の床１３の一部として利用される天井パネル１７は、ガスタービン１１の定期点検時におけるタービン分解部品１８のレイダウン場所や点検作業スペースとして有効に活用できる。
【００２３】
（２）タービン建屋１０のタービン設置階１２における床１３に、タービン設置下階２１に連通する吹き抜け状態の開口部２０が形成されたことで、床材を削減でき、この点からもタービン建屋１０のコストダウンを実現できる。
【００２４】
（３）タービン建屋１０のタービン設置階１２における床面１３に、タービン設置下階２１に連通する吹き抜け状態の開口部２０が形成されたので、この開口部２０の開放時には、天井クレーン１９を開口部２０を通してタービン設置下階２１まで降下させることができる。このため、タービン設置下階２１における開口部２０直下の領域２４において天井クレーン１９による作業を実施できるので、ガスタービン１１の定期点検時のみならず、タービン建屋１０の建設工事においても天井クレーン１９の作業範囲を拡大でき、点検作業及び建設作業の作業性を向上させることができる。
【００２５】
（４）エンクロージャコンパートメント１４の天井パネル１７を、天井クレーン１９を用いてタービン設置階１２の床１３における開口部２０まで搬送させる作業は、この大型の天井パネル１７を水平状態に保持した状態で実施され、搬送途中で天井パネル１７の姿勢を変更する必要がない。従って、天井パネル１７の搬送を迅速に実施できるので、ガスタービン１１の定期点検工期を短縮できる。
【００２６】
以上実施形態について説明してきたが、本発明は、上述のような実施形態の具体的構成に限定されるものではなく、本発明の主旨を逸脱しない範囲で種々変形することができる。
【００２７】
例えば、本実施形態では、タービン建屋１０は、ガスタービン１１を収納する場合を述べたが、火力発電所や原子力発電所などで使用される蒸気タービンを収納するタービン建屋においても、本発明を適用できる。
【符号の説明】
【００２８】
１０  タービン建屋
１１  ガスタービン
１２  タービン設置階
１３  床
１４  エンクロージャコンパートメント
１７  天井パネル
１８  タービン分解部品
２０  開口部
２２  係止片
２３  柵
【図１】
2013181464.tif 000003
【図２】
2013181464.tif 000004
【図３】
2013181464.tif 000005